(57)【要約】  【課題】空調用の冷媒ガス充填操作を容易にできるようにした作業機械を提供する。  【解決手段】機体の内部に空調用の冷凍サイクル機構21を設置する。この冷凍サイクル機構21の配管28a，28bから分岐させた冷媒ガス充填用の枝配管31a，31bを、機体17の外部に配設する。すなわち、枝配管31a，31bは、機体17の側面に設定した冷媒ガス充填口まで配設する。  【選択図】図１
2006002980.tif 000002
【特許請求の範囲】
【請求項１】
機体と、
機体の内部に設置された空調用の冷凍サイクル機構と、
冷凍サイクル機構の配管から分岐させて機体の外部に配設した冷媒ガス充填用の枝配管と
を具備したことを特徴とする作業機械。
【請求項２】
枝配管は、機体の側面に設定された冷媒ガス充填口まで配設された
ことを特徴とする請求項１記載の作業機械。
【発明の詳細な説明】
【技術分野】
【０００１】
本発明は、冷凍サイクル機構を有する作業機械に関するものである。
【背景技術】
【０００２】
自動車等の冷房に用いられる冷房装置には、冷凍サイクル機構を構成する各構成機器の各ジョイント部にそれぞれ３ポート弁を介在させ、各構成機器の交換時に、３ポート弁を切換えることで、大気中に放出される冷媒ガスを最少限に抑えるようにしたものがある（例えば、特許文献１参照）。
【０００３】
前記３ポート弁は、冷媒ガスの充填および回収をする際にも用いられ、３ポート弁の冷媒充填口にガスチャージキットなどを接続して、冷媒ガスの充填などを行なう。
【０００４】
同様に、油圧ショベルなどの建設機械では、図５に示されるように機体１内のエンジン２によって駆動される圧縮機３などの配管4a，4bの途中部にそれぞれ冷媒ガス充填口5a，5bが設置されているので、作業員が機体１のカバー上面1aに上り、配管4a，4bの冷媒ガス充填口5a，5bに、図６に示された市販のガスチャージキットGCKのホース6a，6bの先端に設けられた接続金口であるクイックカプラ7a，7bを接続し、ホース８より供給された冷媒ガス（フロンＲ134a）の充填などを行なうようにしている。このガスチャージキットGCKは、ガス圧力検査用の圧力計9a，9bを備えている。
【特許文献１】特開平５−１３３６３３号公報（第２−３頁、図１−３）
【発明の開示】
【発明が解決しようとする課題】
【０００５】
配管4a，4b中の冷媒ガス充填口5a，5bは、必ずしも図５に示されるように見える位置にある機種ばかりではなく、ガスチャージキットGCKを接続操作し難い機体の奥に位置する機種もあり、冷媒ガス充填操作に困難を伴うことが多い。
【０００６】
本発明は、このような点に鑑みなされたもので、空調用の冷媒ガス充填操作を容易にできるようにした作業機械を提供することを目的とするものである。
【課題を解決するための手段】
【０００７】
請求項１記載の発明は、機体と、機体の内部に設置された空調用の冷凍サイクル機構と、冷凍サイクル機構の配管から分岐させて機体の外部に配設した冷媒ガス充填用の枝配管とを具備した作業機械であり、そして、空調用の冷凍サイクル機構の配管が機体の奥にあって冷媒ガス充填作業などでアクセスし難い場合であっても、冷凍サイクル機構の配管から分岐させて機体の外部に配設した冷媒ガス充填用の枝配管を利用すると、冷媒ガスの充填操作が容易になる。
【０００８】
請求項２記載の発明は、請求項１記載の作業機械における枝配管が、機体の側面に設定された冷媒ガス充填口まで配設されたものであり、そして、機体の側面に設定された冷媒ガス充填口から、冷媒ガス充填用の枝配管を介して、冷媒ガスをグランドレベルで容易に充填操作することが可能となる。
【発明の効果】
【０００９】
請求項１記載の発明によれば、空調用の冷凍サイクル機構の配管が機体の奥にあって冷媒ガス充填作業などでアクセスし難い場合であっても、冷凍サイクル機構の配管から分岐させて機体の外部に配設した冷媒ガス充填用の枝配管を利用すると、冷媒ガスの充填操作を容易にできる。
【００１０】
請求項２記載の発明によれば、機体の側面に設定された冷媒ガス充填口から、冷媒ガス充填用の枝配管を介して、冷媒ガスをグランドレベルで容易に充填操作できる。
【発明を実施するための最良の形態】
【００１１】
以下、本発明を、図１乃至図４に示された一実施の形態を参照しながら詳細に説明する。
【００１２】
図４は、作業機械としての油圧ショベルを示し、下部走行体11に旋回軸受部12を介して上部旋回体13が旋回可能に設けられ、この上部旋回体13に動力部14、キャブ15、作業装置16などが搭載されている。下部走行体11、上部旋回体13、動力部14およびキャブ15は、作業装置16に対して機体17を構成している。
【００１３】
図１に示されるように、動力部14内およびキャブ15内には空調用の冷凍サイクル機構21が設置されている。この冷凍サイクル機構21は、動力部14内のエンジン22によって駆動される圧縮機23と、クーリングユニットの凝縮器24と、受液器25と、キャブ15内のエアコン設備に含まれる膨張弁26および蒸発器27と、これらの冷凍サイクル機構構成機器を無端状に接続する配管28とから成る。
【００１４】
このような冷凍サイクル機構21における圧縮機23の前後の配管28a，28bから、冷媒ガス充填用の枝配管31a，31bが、図２に示されるように分岐部32より分岐して引出され、図１に示されるように機体カバー33の内壁面に取付けられた配管結束金具34により機体カバー33の内壁面に沿って配管され、これらの枝配管31a，31bの先端は、機体17の外部に配設されている。
【００１５】
すなわち、複数の枝配管31a，31bが、図３（ａ）に示されるように機体カバー33の側面に設定された冷媒ガス充填口35a，35bまで配設されている。図３（ｂ）に示されるように冷媒ガス充填口35a，35bは、機体カバー33に形成された凹部36の内部に設置されている。この凹部36には蓋板（図示せず）が開閉自在に設けられている。
【００１６】
次に、この実施の形態の作用効果を説明する。
【００１７】
冷媒ガス充填口35a，35bは、通常は内部の逆止弁機構などで閉じられているが、図６に示された市販のガスチャージキットGCKの接続金口であるクイックカプラ7a，7bをこれらの冷媒ガス充填口35a，35bにそれぞれ接続すると開口するので、このガスチャージキットGCKおよび枝配管31a，31bを介して冷凍サイクル機構21内に冷媒ガスを充填する。
【００１８】
その際、真空ポンプにより冷凍サイクル機構21内をいったん真空にしてから、冷凍サイクル機構21内に冷媒ガスを注入すると、冷凍サイクル機構21内に冷媒ガスを効率良く充填できる。
【００１９】
このように、冷凍サイクル機構21の配管28a，28bが機体17の奥にあって冷媒ガス充填作業などでアクセスし難い場合であっても、冷凍サイクル機構21の配管28a，28bから分岐させて機体17の外部に配設した冷媒ガス充填用の枝配管31a，31bを利用すると、冷媒ガスの充填操作が容易になる。
【００２０】
すなわち、機体カバー33の側面に設定された冷媒ガス充填口35a，35bから、冷媒ガス充填用の枝配管31a，31bを介して、機体17内の冷凍サイクル機構21内に冷媒ガスを容易に充填操作することができる。
【００２１】
特に、図３に示されるように冷媒ガス充填口35a，35bが機体カバー33の側面に設けられた場合は、作業員は、機体カバー33の上面に上る必要がなくグランドレベルでの容易な冷媒ガスの充填が可能になる。また、これらの冷媒ガス充填口35a，35bを用いて、ガスチャージキットGCKの圧力計9a，9b（図６）によるガス圧力検査も容易にできる。
【図面の簡単な説明】
【００２２】
【図１】本発明に係る作業機械の機体内に設置された冷凍サイクル機構の一実施の形態を示す斜視図および回路図である。
【図２】同上作業機械の冷凍サイクル機構に用いられる配管およびこの配管から分岐した枝配管の側面図である。
【図３】（ａ）は同上作業機械の機体を示す斜視図、（ｂ）はその冷媒ガス充填口を拡大して示した斜視図である。
【図４】同上作業機械の側面図である。
【図５】従来の作業機械の機体を示す斜視図である。
【図６】空調用の冷媒ガスを充填するガスチャージキットの正面図である。
【符号の説明】
【００２３】
17    機体
21    冷凍サイクル機構
28a，28b    配管
31a，31b    枝配管
35a，35b    冷媒ガス充填口
【図１】
2006002980.tif 000003
【図２】
2006002980.tif 000004
【図３】
2006002980.tif 000005
【図４】
2006002980.tif 000006
【図５】
2006002980.tif 000007
【図６】
2006002980.tif 000008